(57)【要約】【課題】高齢者、病人、または脚が不自由な人が自らの体を支える際に、より高い安定性を実現することができる杖を提供する。【解決手段】杖１００は、支柱１０１，１０２と、後部に支柱の上端部が固設される握り部１０４とを備える。握り部の後部の左右方向の幅が握り部の前部の左右方向の幅よりも広い。好ましくは、杖は、使用者の手首にかけるための、握り部の後部の上面から上方へと延設されるストラップ１１１とをさらに備える。【選択図】図１
0003172364.tif 000002
【実用新案登録請求の範囲】
【請求項１】
支柱と、
後部に前記支柱の上端部が固設される握り部とを備え、
前記握り部の後部の左右方向の幅が前記握り部の前部の左右方向の幅よりも広い、杖。
【請求項２】
使用者の手首にかけるための、前記握り部の後部の上面から上方へと延設されるストラップとをさらに備える、請求項１に記載の杖。
【請求項３】
前記握り部の後部には、上下方向へ貫通する孔が形成され、
前記ストラップは、前記孔を通って前記握り部の下方から上方へと配置される、請求項２に記載の杖。
【請求項４】
前記ストラップは、前記握り部の上面に固設される、請求項２に記載の杖。
【請求項５】
前記ストラップのうちの、前記使用者の手首にかかる部分の長さを調整するための調整部材をさらに備える、請求項２から４のいずれか１項に記載の杖。
【考案の詳細な説明】
【技術分野】
【０００１】
本考案は、高齢者、病人、または脚が不自由な人が、自らの体を支えるために利用する杖に関する。
【背景技術】
【０００２】
従来から、高齢者、病人、または脚が不自由な人が自らの体を支えるために利用する杖が知られている。そのような杖の中には、支柱（杖本体）と、当該支柱に固設される握り部と、を有するものがある。
【０００３】
たとえば、特開２００２−０６５３２６号公報（特許文献１）には、杖の把握部構造が開示されている。特開２００２−０６５３２６号公報（特許文献１）によると、杖本体の把持部に挿通孔を設けて、その挿通孔に杖を使用者の手首に繋留するための１本の繋留紐を挿通する。そのとき、繋留紐を二つ折りに屈曲させて挿通孔に挿通することにより、１個のループ部を前記把握部の一側部側に形成し、他方、前記繋留紐の二つの自由端を前記把握部の他の側部側に出し、第一の自由端を第二の自由端より短くして前記挿通孔に係止可能にし、第二の自由端を前記使用者が杖の使用時において前記把握部を握る際、その把握部とともに把握できるようにする。
【先行技術文献】
【特許文献】
【０００４】
【特許文献１】特開２００２−０６５３２６号公報
【考案の概要】
【考案が解決しようとする課題】
【０００５】
しかしながら、高齢者、病人、または脚が不自由な人が自らの体を支える際に、より高い安定性を実現することができる杖が求められている。
【０００６】
本考案は、かかる問題を解決するためになされたものであり、その目的は、高齢者、病人、または脚が不自由な人が自らの体を支える際に、より高い安定性を実現することができる杖を提供することである。
【課題を解決するための手段】
【０００７】
この考案のある局面に従うと、支柱と、後部に支柱の上端部が固設される握り部とを備える杖が提供される。握り部の後部の左右方向の幅が握り部の前部の左右方向の幅よりも広い。
【０００８】
好ましくは、杖は、使用者の手首にかけるための、握り部の後部の上面から上方へと延設されるストラップとをさらに備える。
【０００９】
好ましくは、握り部の後部には、上下方向へ貫通する孔が形成される。ストラップは、孔を通って握り部の下方から上方へと配置される。
【００１０】
好ましくは、ストラップは、握り部の上面に固設される。
【００１１】
好ましくは、ストラップのうちの、使用者の手首にかかる部分の長さを調整するための調整部材をさらに備える。
【考案の効果】
【００１２】
以上のように、この考案によれば、高齢者、病人、または脚が不自由な人が自らの体を支える際に、より高い安定性を実現することができる杖が提供される。
【図面の簡単な説明】
【００１３】
【図１】本実施の形態に係る杖１００の全体構成を示す斜視図である。
【図２】本実施の形態に係る杖１００の全体構成を示す左側面図である。
【図３】本実施の形態に係る握り部１０４を示す平面図である。
【図４】本実施の形態に係るストラップ１１１の握り部１０４への取り付け構造を示す斜視図である。
【図５】本実施の形態に係るストラップ１１１が取り付けられた杖１００の使用方法を示すイメージ図である。
【図６】本実施の形態に係るストラップ１１１の握り部１０４への取り付け構造の変形例を示すイメージ図である。
【考案を実施するための形態】
【００１４】
以下、図面を参照しつつ、本考案の実施の形態について説明する。以下の説明では、同一の部品には同一の符号を付してある。それらの名称および機能も同じである。したがって、それらについての詳細な説明は繰り返さない。
【００１５】
＜杖１００の全体構成＞
まず、本実施の形態に係る杖１００の全体構成について説明する。図１は、本実施の形態に係る杖１００の全体構成を示す斜視図である。図２は、本実施の形態に係る杖１００の全体構成を示す左側面図である。図３は、本実施の形態に係る握り部１０４を示す平面図である。
【００１６】
図１から図３を参照して、杖１００は、上支柱１０１と、下支柱１０２と、接地部材１０３と、握り部１０４とを含む。
【００１７】
握り部１０４の下面の後部に、上支柱１０１の上端が固設される。より詳細には、握り部１０４は、横部材１０４Ｈと縦部材１０４Ｖとを含む。縦部材１０４Ｖは、横部材１０４Ｈの後部から下方へと延設される。上支柱１０１の上部を縦部材１０４Ｖの下方から握り部１０４に挿入することによって、握り部１０４に上支柱１０１が固設される。
【００１８】
上支柱１０１には、下方から下支柱１０２が挿入される。杖１００の使用者は、下支柱１０２の上支柱１０１への挿入量を変更することによって、杖１００の長さを調整することができる。下支柱１０２の下端に接地部材１０３が固設される。
【００１９】
本実施の形態に係る握り部１０４は、平面視において、後部の左右方向の幅が前部の左右方向の幅よりも広く形成されている。これによって、使用者は、握り部１０４のうちの上支柱１０１よりも前方の部分を、全ての指（親指、人指し指、中指、薬指、小指）で握持し易くなる。縦部材１０４Ｖの上端部の前面には、使用者が握り部１０４を握ったときに、小指の後面が当接する。
【００２０】
このように構成された杖１００は、使用者の体重を上支柱１０１および下支柱１０２の真上で支え易い。その結果、使用者が杖１００を地面についた際に杖１００全体の重心がぶれ難くなる。
【００２１】
また、本実施の形態に係る握り部１０４の前端部は下方へ膨らんでいる。すなわち、握り部１０４の前端部には、引っかかり部１０４Ｆが形成されている。これによって、使用者が杖１００を前に出した時に、杖１００が使用者の手からすっぽ抜け難くなる。
【００２２】
また、本実施の形態に係る握り部１０４の上面の中央部は平らに形成される。これによって、体重が握り部１０４の中央部に分散され、手が痛くなることを防止することができる。
【００２３】
握り部１０４には、杖１００が手から離れないようにするためのストラップ１１１が取り付けられる。ストラップ１１１は、握り部１０４の上面から上方へと伸びる。
【００２４】
＜ストラップ１１１の握り部１０４への取り付け構造＞
次に、本実施の形態に係るストラップ１１１の握り部１０４への取り付け構造について説明する。図４は、本実施の形態に係るストラップ１１１の握り部１０４への取り付け構造を示す斜視図である。
【００２５】
図４を参照して、握り部１０４の後部には、握り部１０４の下面から上面へと貫通する孔１０４Ｘが形成される。孔１０４Ｘには、ストラップ１１１が通される。
【００２６】
ストラップ１１１のうちの、握り部１０４の上方には、摺動可能に２つのリング１１３が取り付けられる。
【００２７】
ストラップ１１１のうちの、握り部１０４の下方には、ストラップ１１１の外面を摺動可能な調整部材１１２が取り付けられる。すなわち、ストラップ１１１が、調整部材１１２の中央に通される。使用者は、調整部材１１２とストラップ１１１とを互いに固定したり、互いに摺動可能にしたりすることができる。
【００２８】
調整部材１１２は、握り部１０４の下面に当接する（握り部１０４の孔１０４Ｘを通ることができない）ことによって、調整部材１１２の上方のストラップ１１１の長さと、調整部材１１２の下方のストラップ１１１の長さを調整することができる。使用者は、調整部材１１２をストラップ１１１の上方や下方に移動させることによって、調整部材１１２の上方に位置するストラップ１１１の長さや、握り部１０４の上方に位置するストラップ１１１の長さを調整することができる。
【００２９】
なお、調整部材１１２は、ストラップ１１１のうちの手首にかかる部分の長さ、たとえば握り部１０４の上方に位置するストラップ１１１の長さを調整することができるものであれば、他の形式のストラップであってもよい。
【００３０】
＜杖の使用方法＞
次に、本実施の形態に係るストラップ１１１が取り付けられた杖１００の使用方法について説明する。図５は、本実施の形態に係るストラップ１１１が取り付けられた杖１００の使用方法を示すイメージ図である。より詳細には、図５（Ａ）は、使用者がストラップ１１１を手首にかけていない状態で杖１００の握り部１０４を握った状態を示すイメージ図である。図５（Ｂ）は、使用者がストラップ１１１を手首にかけてた状態で杖１００の握り部１０４を握った状態を示すイメージ図である。
【００３１】
図５（Ａ）に示すように、使用者が杖１００を握ると、使用者の手のひらがストラップ１１１またはリング１１３に当接する。これによって、使用者はストラップ１１１の存在を思い出し易くなる。その結果、使用者によるストラップ１１１の付け忘れを防止し易くなる。
【００３２】
本実施の形態に係る杖１００は、ストラップ１１１が握り部１０４の上面から上方向に伸びているため、使用者が、手の感触に基づいても、視覚的にも、ストラップ１１１の存在に気が付き易い。その結果、使用者によるストラップ１１１の手首への付け忘れを防止し易くなる。
【００３３】
図５（Ｂ）に示すように、使用者が、ストラップ１１１を付け忘れていることに気が付くと、ストラップ１１１を使用者の手首にかける。より好ましくは、使用者は、調整部材１１２を握り部１０４の下面に当接する位置まで上昇させる（ストラップ１１１のうちの手首にかかる部分の長さを絞る）。これによって、杖１００が、使用者の手から離れ難くなる。すなわち、本実施の形態に係る杖１００は、使用者が、杖１００を地面に落してしまう可能性を低減することができる。
【００３４】
＜ストラップ１１１の握り部１０４への取り付け構造の変形例＞
上記の実施の形態においては、ストラップ１１１を握り部１０４の後部に貫通させるものであった。しかしながら、ストラップ１１１は、握り部１０４の上面に取り付けられていてもよい。
【００３５】
以下では、ストラップ１１１の握り部１０４への取り付け構造の変形例について説明する。図６は、ストラップ１１１の握り部１０４への取り付け構造の変形例を示すイメージ図である。
【００３６】
図６を参照して、握り部１０４の上面に、ストラップ１１１が取り付けられている。すなわち、本変形例においては、握り部１０４の後部に、孔が形成されていない。ストラップ１１１には、摺動可能に２つのリング１１３が取り付けられる。
【００３７】
なお、本変形例においても、ストラップ１１１に、ストラップ１１１の長さを調整するための調整部材が取り付けられてもよい。調整部材は、ストラップ１１１のうちの手首にかかる部分の長さを調整することができるものであれば、どのような形式のものであってもよい。
【００３８】
今回開示された実施の形態はすべての点で例示であって制限的なものではないと考えられるべきである。本考案の範囲は、上記した説明ではなく、実用新案登録請求の範囲によって示され、実用新案登録請求の範囲と均等の意味および範囲内でのすべての変更が含まれることが意図される。
【符号の説明】
【００３９】
１００  杖
１０１  上支柱
１０２  下支柱
１０３  接地部材
１０４  握り部
１０４Ｈ  横部材
１０４Ｖ  縦部材
１０４Ｘ  孔
１１１  ストラップ
１１２  調整部材
１１３  リング。
【図１】
0003172364.tif 000003
【図２】
0003172364.tif 000004
【図３】
0003172364.tif 000005
【図４】
0003172364.tif 000006
【図５】
0003172364.tif 000007
【図６】
0003172364.tif 000008